(57)【特許請求の範囲】
【請求項１】
外枠と、前記外枠に対して一側をヒンジ結合させ他側を開閉可能に取り付けられる前枠とを備えた遊技機において取り付けられ、その閉じ位置にて施錠する遊技機用施錠装置であって、
前記前枠側には、シリンダ錠の開錠操作にしたがってスライド移動する連結杆と、雄側鉤部をそれぞれ備え前記連結杆の上部および下部のそれぞれに取り付けられ且つ前記シリンダ錠の開錠操作にしたがった前記連結杆のスライド移動に連動してそれぞれスライド移動する上雄側施錠杆および下雄側施錠杆とが設けられ、
前記上雄側施錠杆と前記下雄側施錠杆とは、前記連結杆が固定位置のまま、前記連結杆に対してそれぞれ独自にスライド移動することができるように設けられ、
前記外枠側には、前記雄側鉤部のそれぞれと係合して施錠状態とする前記雄側鉤部のそれぞれに対応した雌側鉤部を備える雌側施錠杆が設けられ、
前記雌側施錠杆には、前記雄側鉤部と前記雌側鉤部とが係合している場合に、この係合の解除を規制するロック装置が設けられており、
前記ロック装置は、前記連結杆のロック係止部を係止させるロック部材と、前記ロック部材を前記雌側施錠杆の延びる方向と交差する方向にスライド移動可能に保持する保持部と、前記ロック部材を付勢する付勢ばねとを備え、
前記ロック部材は、折り曲げ加工にて隙間が設けられて平行配置される挟み込み部と、前記挟み込み部の端縁に設けられ、且つ、前記シリンダ錠に取り付けられるカムが当接する個所であるカム当接部とを備えて構成され、
前記施錠状態において、前記ロック部材は前記付勢ばねの付勢力により前記カム側の接近方向にスライド移動された状態となって、前記挟み込み部は前記連結杆を挟み込んだ状態となり、前記挟み込み部の上縁に設定される規制用当接部が、前記ロック係止部の下縁に当接することで、前記連結杆の下方へのスライド移動が規制されて、前記係合の解除が規制されることになり、
開錠完了時においては、前記カムと前記カム当接部との当接により、前記ロック部材は前記付勢ばねの付勢力に抗して前記カム側の離間方向にスライド移動された状態となって、前記規制用当接部と前記ロック係止部との当接が離れ、前記連結杆の下方へのスライド移動が許可されて、前記係合の解除が許可された状態となることを特徴とする遊技機用施錠装置。
【発明の詳細な説明】
【技術分野】
【０００１】
本発明は、スロットマシンに代表される遊技機に取り付けられる遊技機用施錠装置に関する。
【背景技術】
【０００２】
従来、スロットマシンに代表される遊技機にあっては、基枠となる外枠に、適宜のヒンジ構造を有した取付部材を介して前枠が取り付けられ、各種の機器が装置される筐体が構成される。この筐体の一部を構成する前枠は、外枠に対して、取付部材によって片側開き可能となっている。この片側開き側には、外枠に対する前枠の閉じ状態を施錠する、遊技機用施錠装置が設置される。
【０００３】
この片側開き側に設置される遊技機用施錠装置は、雄と雌の対に構成された鉤部を備え、これら雄雌の鉤部同士が係合することによって施錠状態となるように構成されている。これら雄雌の鉤部同士の係合は、前枠に取り付けられたシリンダ錠を開錠操作することによって解除するようになっており、この鉤部同士の係合が解除した場合には、施錠状態から片側開き可能な開錠状態となる。
【０００４】
一方、遊技者の中には、セルロイドやピアノ線等を用いて、不正に上記した雄雌の鉤部同士の係合を解除し開錠状態とする者がいる。従来においては、このような不正な開錠を防止するため、上記の鉤部同士が係合している場合に、この係合の解除を規制するようにしたロック機構を増置したものが知られている（例えば、特許文献１参照）。
【０００５】
この開示されるロック機構は、ロック位置とロック解除位置との間を移動するロック部材を備え、ロック部材がロック位置に位置している場合に、上記した雄雌の鉤部同士の係合の解除を規制する。また逆に、ロック部材がロック解除位置に位置している場合には、雄雌の鉤部同士の係合を解除することが可能な状態となる。
【０００６】
この開示されるロック機構にあっては、ロック部材のロック位置からロック解除位置への移動が、シリンダ錠の開錠操作に応じてなされるようになっているので、シリンダ錠が開錠操作されていない場合においては、ロック部材は常時ロック位置に位置するようになっており、雄雌の鉤部同士の係合の解除を規制する状態となっている。
【特許文献１】特開２００７−３０１２８９公報
【発明の開示】
【発明が解決しようとする課題】
【０００７】
ところで、上記開示される遊技機用施錠装置にあっては、開錠状態から施錠状態としようとするには、上記したように、雄雌の鉤部同士の係合の解除が規制されていることを、解除しなければならない。そこで、シリンダ錠の開錠操作時に、ロック部材をロック解除位置に保持させるようにした機構を増置する案もあるが、このような保持させる機構を増置することとなると、部材点数が増えてしまって、製造コストが高価なものとなってしまう問題が発生する。また同時に、部材点数が増えてしまうことによって、不具合の発生率を高めてしまう問題も発生する。
【０００８】
本発明は、このような事情に鑑みなされたものであって、本発明が解決しようとする課題は、遊技機用施錠装置において、開錠後にあってもロックの解除状態を保持させることができながら、部材点数を削減することにより、製造コストを削減するとともに故障のし難いものとすることにある。
【課題を解決するための手段】
【０００９】
上記課題を解決するため本発明に係る遊技機用施錠装置は、次の手段を採用する。
すなわち、請求項１に係る遊技機用施錠装置は、外枠と、前記外枠に対して一側をヒンジ結合させ他側を開閉可能に取り付けられる前枠とを備えた遊技機において取り付けられ、その閉じ位置にて施錠する遊技機用施錠装置であって、前記前枠側には、シリンダ錠の開錠操作にしたがってスライド移動する連結杆と、雄側鉤部をそれぞれ備え前記連結杆の上部および下部のそれぞれに取り付けられ且つ前記シリンダ錠の開錠操作にしたがった前記連結杆のスライド移動に連動してそれぞれスライド移動する上雄側施錠杆および下雄側施錠杆とが設けられ、前記上雄側施錠杆と前記下雄側施錠杆とは、前記連結杆が固定位置のまま、前記連結杆に対してそれぞれ独自にスライド移動することができるように設けられ、前記外枠側には、前記雄側鉤部のそれぞれと係合して施錠状態とする前記雄側鉤部のそれぞれに対応した雌側鉤部を備える雌側施錠杆が設けられ、前記雌側施錠杆には、前記雄側鉤部と前記雌側鉤部とが係合している場合に、この係合の解除を規制するロック装置が設けられており、前記ロック装置は、前記連結杆のロック係止部を係止させるロック部材と、前記ロック部材を前記雌側施錠杆の延びる方向と交差する方向にスライド移動可能に保持する保持部と、前記ロック部材を付勢する付勢ばねとを備え、前記ロック部材は、折り曲げ加工にて隙間が設けられて平行配置される挟み込み部と、前記挟み込み部の端縁に設けられ、且つ、前記シリンダ錠に取り付けられるカムが当接する個所であるカム当接部とを備えて構成され、前記施錠状態において、前記ロック部材は前記付勢ばねの付勢力により前記カム側の接近方向にスライド移動された状態となって、前記挟み込み部は前記連結杆を挟み込んだ状態となり、前記挟み込み部の上縁に設定される規制用当接部が、前記ロック係止部の下縁に当接することで、前記連結杆の下方へのスライド移動が規制されて、前記係合の解除が規制されることになり、開錠完了時においては、前記カムと前記カム当接部との当接により、前記ロック部材は前記付勢ばねの付勢力に抗して前記カム側の離間方向にスライド移動された状態となって、前記規制用当接部と前記ロック係止部との当接が離れ、前記連結杆の下方へのスライド移動が許可されて、前記係合の解除が許可された状態となることを特徴とする。
【００１０】
この遊技機用施錠装置によれば、雌側施錠杆には、雄側鉤部と雌側鉤部とが係合している場合に、この係合の解除を規制するロック装置が設けられているので、前枠が外枠に対して閉じ位置となっている場合には、ロック装置にて雄側鉤部と雌側鉤部との係合の解除を規制することとなるが、前枠が外枠に対して開き位置となっている場合には、雄側鉤部と雌側鉤部とは互いに係合せず、ロック装置も係合の解除を規制するようには機能しないこととなる。
これによって、前枠が外枠に対して開き位置となっている場合において、ロック装置をロック解除位置に保持するような部材を省略することができることとなり、部材点数を削減することに繋げることができる。
【発明の効果】
【００１１】
本発明に係る遊技機用施錠装置によれば、開錠後にあってもロックの解除状態を保持させることができながら、部材点数を削減することにより、製造コストを削減するとともに故障のし難いものとすることができる。
【発明を実施するための最良の形態】
【００１２】
以下、本発明を実施するための最良の形態について、図面を参照しながら説明する。
図１は、実施の形態となる遊技機用施錠装置が取り付けられたスロットマシンの筐体構造を示す斜視図である。
図１に示すスロットマシン１は、遊技機用施錠装置１０が取り付けられる遊技機の一例であり、外枠２と前枠３とによって筐体構造をなすものである。
外枠２と前枠３とは、ヒンジ構造を有した取付部材４を介して互いは連結されている。
つまり、前枠３は、外枠２に対して一側をヒンジ結合させて他側を開閉可能に取り付けられ、片側開閉可能な状態となっている。なお、外枠２と前枠３とによってなされた筐体の内部には、スロットマシンとして機能させるための各種の機器が装置される。
【００１３】
次に、遊技機用施錠装置１０の具体的な構成について説明する。
遊技機用施錠装置１０は、外枠２に対して前枠３が閉じ位置となった場合に、外枠２に対して前枠３を施錠するものであり、スロットマシン１の外枠２および前枠３のうち、取付部材４の取付け側（一側）とは反対側の開閉側（他側）に取り付けられる。
遊技機用施錠装置１０は、図１に示すように、大略、外枠２に取り付けられる雌側施錠具２０と、前枠３に取り付けられる雄側施錠具４０とを具備して構成される。
【００１４】
図２は、遊技機用施錠装置１０を外枠２および前枠３から取外した斜視図である。図２（Ａ）は施錠状態の斜視図であり、図２（Ｂ）は開錠状態の斜視図である。また、図３は雌側施錠具２０の分解斜視図であり、図４は雄側施錠具４０の分解斜視図である。また、図５はロック装置本体とロック係止部に関しての分解斜視図であり、図６はロック装置本体とロック係止部に関しての組付け斜視図である。
【００１５】
雌側施錠具２０は、図２、図３、図５に示すように、外枠２に取り付けられる雌側施錠杆２１と、この雌側施錠杆２１の略中央個所に設置されるロック装置本体３０とを備えて構成される。
雌側施錠杆２１は、開口した外枠２の他側の内周縁に亘るように延びて形成されており、その上部と下部に、後に説明する上下の雄側鉤部５２，５６に対応した上雌側鉤部２２および下雌側鉤部２３が１つずつの合計２つ設けられている。この上下の雌側鉤部２２，２３は、外枠２に取り付けられた際に、取付部材４の設置側に向かって突出する片状で形成されている。
【００１６】
ロック装置としてのロック装置本体３０は、雄側鉤部５２，５６と雌側鉤部２２，２３との係合をより強固なものとするために設けられるものであり、後に説明する雄側施錠具４０のロック係止部４５ｃに係止することによって、その係合の解除を規制するようにロックする。
ロック装置本体３０は、図５に示すように、大略、上記したロック係止部４５ｃを係止させるロック部材３１と、ロック部材３１をスライド移動可能に保持する保持部３５と、このロック部材３１を付勢する付勢ばね３８とを備えて構成される。なお、ロック部材３１は、保持部３５に対して、螺子部材３９にて雌側施錠杆２１の延びる方向と交差する方向にスライド移動可能に取り付けられている。
【００１７】
ロック部材３１は、図５に示すように、金属片を適宜に折り曲げ加工されて形成されるものである。ロック部材３１は、折り曲げ加工にて適宜の隙間が設けられて平行配置された挟み込み部３２と、この挟み込み部３２の端縁に設けられたカム当接部３３と、カム当接部３３とは反対側に位置するばね係止部３４とを備えて構成される。
挟み込み部３２は、施錠時において、後に説明する連結杆４５を挟み込むように位置するものであり、連結杆４５が入り込むことが可能な程度の隙間間隔を有して２つの板状部分が平行配置されて形成される。この挟み込み部３２には、螺子部材３９が挿通される長穴３２ａが設けられている。また、挟み込み部３２の上縁が、ロック係止部４５ｃの下縁に当接する規制用当接部３２ｂとして機能するようになっている。
【００１８】
カム当接部３３は、後に説明するシリンダ錠４２に取り付けられるカム４３の押出し当接部４３ｄが当接する個所である。具体的には、カム当接部３３は、押出し当接部４３ｄが当接する上方に位置した傾斜面部３３ａと、その傾斜面部３３ａの下端に接続されたリブ部３３ｂとにより形成されている。傾斜面部３３ａは、連結杆４５側に向かうにしたがって下方に傾斜した面で形成されている。リブ部３３ｂは、上端が傾斜面部３３ａの下端と接続されて鉛直方向に延びる形状を有して形成されている。
ばね係止部３４は、上記した付勢ばね３８の一端が係止される個所であり、適宜の突起形状を有して形成される。
【００１９】
保持部３５は、ロック部材３１のスライド移動を案内するスライド案内部３５ａを備える。スライド案内部３５ａは、ロック部材３１の設置側に突出してスライド移動方向に延びるように形成される。スライド案内部３５ａは、挟み込み部３２の上下の端縁と摺接する個所となっている。なお、この保持部３５には、付勢ばね３８の他端が係止されるばね係止部３５ｂと、螺子部材３９を受ける螺子孔３５ｃが設けられている。また、付勢ばね３８は、適宜のコイルばねで構成されており、ばね係止部３４，３５ｂに両端が係止されてロック部材３１を、連結杆４５（前枠３）側に付勢している。
【００２０】
雄側施錠具４０は、図２、図４、図５に示すように、大略、開口した前枠３の他側の内周縁に亘るように延びて形成され収納保持部材４１と、収納保持部材４１にて保持されるシリンダ錠４２と、シリンダ錠４２の開錠操作に連動して回転するカム４３と、カム４３の回転に連動して上下スライド移動する連結杆４５と、連結杆４５の上部および下部に連結される２つの雄側施錠杆５１，５５とを備えて構成される。
【００２１】
収納保持部材４１は、上面視コ字状の収納凹部４１ａを有して形成され。この収納凹部４１ａには、上記したカム４３、連結杆４５、２つの雄側施錠杆５１，５５が収納保持される。また、収納保持部材４１の略中央個所には、シリンダ錠４２を設置するための錠取付口４１ｂが設けられており、適宜の螺子部材４１ｃを介してシリンダ錠４２が取り付けられる。
【００２２】
シリンダ錠４２は、シリンダ状の外観を有し、挿し込んだ鍵にて開錠もしくは施錠操作を行うものである。この開錠操作にしたがって開錠軸部４２ａは回転するようになっている。なお、シリンダ錠４２には、螺子部材４１ｃを介して取り付けるにあたっての取付用フランジ部４２ｂが設けられている。
【００２３】
カム４３は、シリンダ錠４２の開錠操作に沿って回転する開錠軸部４２ａに、この回転にしたがって回転するように取り付けられるものであって、図５に示すように、開錠軸部４２ａの外周形状と合致する取付孔４３ａを有する。この取付孔４３ａには、開錠軸部４２ａが嵌合され、適宜の螺子部材４３ｅにて固定される。
カム４３には、連結杆４５に設けられた差込孔４５ａ，４５ｂに適宜の遊びを有しながら嵌合される２つの嵌合突出部４３ｂ，４３ｃが設けられている。これら２つの嵌合突出部４３ｂ，４３ｃのうち、上方に位置する１つの嵌合突出部４３ｂの先端には、折り曲げにより形成された押出し当接部４３ｄが設けられている。
【００２４】
押出し当接部４３ｄは、上記したようにロック部材３１のカム当接部３３に当接する個所である。押出し当接部４３ｄは、図６に示すように上記した嵌合突出部４３ｂを差込孔４５ａに挿し込んで組み付けた場合には、連結杆４５に対して取付孔４３ａの位置する側とは反対側において位置するようになっている。
この押出し当接部４３ｄは、後に詳しく説明するが、開錠操作前の施錠状態にあってはロック部材３１のカム当接部３３（傾斜面部３３ａ）の上方に位置するようになっており、開錠操作にしたがったカム４３の回転（右回りの回転）に応じてカム当接部３３の傾斜面部３３ａに当接し、開錠完了時にはリブ部３３ｂに当接した位置に位置するようになっている。
【００２５】
連結杆４５は、図５に示すように、上下方向に延びる長尺板状に形成され、略中央部位に上記したカム４３の嵌合突出部４３ｂ，４３ｃが嵌合する差込孔４５ａ，４５ｂが２つ設けられている。さらに、この略中央部位には、上下方向に対して交差する方向に突出したロック係止部４５ｃが設けられている。このロック係止部４５ｃは、上記したようにロック装置本体３０のロック部材３１と当接して係止する個所である。
【００２６】
連結杆４５の上端近傍および下端近傍には、上雄側施錠杆５１および下雄側施錠杆５５が取り付けられる長穴４５ｄ，４５ｅが設けられている。この長穴４５ｄ，４５ｅは、上下方向に延びた形状を有しており、適宜の螺子部材５４，５９（図４参照）を介して、これら上下の雄側施錠杆５１，５５が上下スライド移動可能に取り付けられる。
なお、連結杆４５に上雄側施錠杆５１および下雄側施錠杆５５が取り付けられるにあたっては、それぞれの長穴４５ｄ，４５ｅの上端に螺子部材５４，５９が位置するように、上雄側施錠杆５１および下雄側施錠杆５５が連結杆４５に取り付けられる。また、通常状態では、連結杆４５、上雄側施錠杆５１、下雄側施錠杆５５は、この位置関係を維持するようになっている。
【００２７】
上雄側施錠杆５１は、図４に示すように、上下方向に延びた長尺杆状に形成されるものであって、上下方向にスライド移動可能に、適宜の螺子部材５４を介して連結杆４５の上部に連結されている。この螺子部材５４の端部は、収納保持部材４１に設けられた長穴４１ｄ内にスライド移動可能に挿通されており、この上雄側施錠杆５１の上下方向のスライド移動を案内するようになっている。また、この上雄側施錠杆５１は、その上部に上雄側鉤部５２が設けられている。上雄側鉤部５２は、上記した雌側施錠杆２１の上雌側鉤部２２に下方から係合する鉤状に形成され、雌側施錠具２０に向かうにしたがって下方に傾斜した傾斜部５２ａが設けられている。
【００２８】
また、この上雄側施錠杆５１は、一端が上雄側施錠杆５１に係止され且つ他端が収納保持部材４１に係止された２つの付勢ばね５３ａ，５３ｂにて、上方に付勢されている。この２つの付勢ばね５３ａ，５３ｂの上方への付勢により、上雄側鉤部５２は、上記した雌側施錠杆２１の上雌側鉤部２２に、その下方から係合するようになっている。
このように構成された上雄側施錠杆５１は、上記した連結杆４５の下方のスライド移動に連動して、付勢ばね５３ａ，５３ｂの付勢力に抗して、下方にスライド移動するようになっており、この下方へのスライド移動によって上雄側鉤部５２の上雌側鉤部２２に対する係合は解除されるようになっている。
【００２９】
下雄側施錠杆５５は、図４に示すように、上下方向に延びた長尺杆状に形成されるものであって、上下方向にスライド移動可能に、適宜の螺子部材５９を介して連結杆４５の下部に連結されている。この螺子部材５９の端部は、収納保持部材４１に設けられた長穴４１ｅ内にスライド移動可能に挿通されており、この下雄側施錠杆５５の上下方向のスライド移動を案内するようになっている。また、この下雄側施錠杆５５は、その略中央部位に下雄側鉤部５６が設けられている。下雄側鉤部５６は、上記した雌側施錠杆２１の下雌側鉤部２３に下方から係合する鉤状に形成され、雌側施錠具２０に向かうにしたがって下方に傾斜した傾斜部５６ａが設けられている。
【００３０】
また、この下雄側施錠杆５５は、連結杆４５を介した上雄側施錠杆５１の上方の付勢力により上方に付勢されている。この上方への付勢により、下雄側鉤部５６は、上記した下雌側鉤部２３に下方から係合するようになっている。
このように構成された下雄側施錠杆５５は、上記した連結杆４５の下方のスライド移動に連動して、上記した付勢力に抗して、下方にスライド移動するようになっており、この下方へのスライド移動によって下雄側鉤部５６の下雌側鉤部２３に対する係合は解除されるようになっている。
【００３１】
また、この下雄側施錠杆５５の下部には、前枠３の閉じ位置に位置している際に、外枠２の下側内部に設けられたフック穴５（図１参照）に差し込まれるフック装置６０が設けられている。このフック装置６０は、上下にスライド移動するスライド基体６１と、下雄側施錠杆５５のスライド移動を変換するリンク部６２と、フック穴５に差し込まれる差込部６３と、差込部の移動を案内する案内部６４と、スライド基体６１を下方に付勢する付勢ばね６５とを備える。なお、リンク部６２は軸支部材６６にて回転可能に軸支され、差込部６３はスライド基体６１に螺子部材６７にて取り付けられ、案内部６４は収納保持部材４１に螺子部材６８にて取り付けられている。
【００３２】
以上のように構成された遊技機用施錠装置１０は、次のように作動する。
まず、開錠操作時における遊技機用施錠装置１０の作動に関して説明する。
図７は、開錠操作時におけるロック装置本体３０等に関しての拡大作動側面図である。図８は、開錠操作時における遊技機用施錠装置１０の全体作動側面図である。なお、図７および図８は、ロック装置本体３０に関する作動を分かり易くするため、連結杆４５の一部を省略して図示している（ロック係止部４５ｃおよび連結個所に関しては図示している。）。
【００３３】
図中の符号Ｋは、シリンダ錠４２の開錠操作を行うためにシリンダ錠４２に挿入される開錠鍵である。ここで、開錠操作は、開錠鍵Ｋを右回りに回転させることにより行われ、この回転にしたがってカム４３も右回りに回転するようになっている。また、開錠鍵Ｋのシリンダ錠４２への挿し抜きは、図７（Ａ）の状態時のみしか行うことができないようになっている。
【００３４】
図７（Ａ）記載のロック装置本体３０等、および図８（Ａ）記載の遊技機用施錠装置１０は、開錠操作前の施錠状態のものを示している。
すなわち、図７（Ａ）および図８（Ａ）に示すように、開錠操作前の施錠状態においては、カム４３の押出し当接部４３ｄは、ロック部材３１のカム当接部３３（傾斜面部３３ａ）の上方に位置している。また、ロック装置本体３０のロック部材３１は、付勢ばね３８の付勢力により（図５参照）、カム４３側の接近方向にスライド移動された状態となっている。この状態においては、図６に示すように、ロック部材３１の挟み込み部３２は、連結杆４５を挟み込んだ状態となっている。また、この状態においては、規制用当接部３２ｂは、ロック係止部４５ｃの下に位置することとなる。つまり、ロック係止部４５ｃは、ロック部材３１の規制用当接部３２ｂに当接し、連結杆４５の下方へのスライド移動を規制することとなる。
【００３５】
これによって、連結杆４５は、下方へスライド移動することができなくなって、上下の雄側施錠杆５１，５５が同時に下方にスライド移動してしまうのを規制することができる。したがって、不正に連結杆４５をスライド移動させることはできなくなり、上雄側鉤部５２と上雌側鉤部２２との係合、および下雄側鉤部５６と下雌側鉤部２３との係合が、同時に解除してしまうこともなくなり、不正な開錠を防止することができる。
なお、２つの雄側施錠杆５１，５５は、連結杆４５を介して連結されているので、上雄側鉤部５２と上雌側鉤部２２との係合、あるいは下雄側鉤部５６と下雌側鉤部２３との係合の何れか一方が、不正に解除されることがあったとしても、これらの係合の何れか他方は、これに連動して解除されることは無い。
【００３６】
このような施錠状態となっている場合に、開錠鍵Ｋを用いて開錠操作を行うと、次のように作動する。
すなわち、開錠鍵Ｋを右回りに回転させて開錠操作を行うと、この回転にしたがってカム４３も右回りに回転する。そうすると、カム４３の押出し当接部４３ｄは、カム当接部３３の傾斜面部３３ａに当接する。この傾斜面部３３ａへの当接のまま、さらに開錠鍵Ｋを右回りに回転させて開錠操作を行うと、カム４３もさらに右回りに回転して、押出し当接部４３ｄは傾斜面部３３ａに当接したまま下方に移動する。つまり、押出し当接部４３ｄの下方への移動は、傾斜面部３３ａに傾斜によって、ロック部材３１を連結杆４５から遠ざけるように、付勢ばね３８の付勢力に抗してスライド移動させるものとなる（図５参照）。
【００３７】
なお、このロック部材３１の連結杆４５から遠ざかるスライド移動は、左右方向の揺れ曲がりを挟み込み部３２にての連結杆４５の挟み込みにより抑え、且つ上下方向の揺れ曲がりをスライド案内部３５ａにての挟み込み部３２の上下の端縁の摺接により抑えているので、正しい姿勢を維持することができる。
【００３８】
このようにしてロック部材３１が、連結杆４５から遠ざかるようにスライド移動して、押出し当接部４３ｄの下方への移動して、カム当接部３３のリブ部３３ｂに当接した位置に位置すると、開錠完了となる。
図７（Ｂ）記載のロック装置本体３０等、および図８（Ｂ）記載の遊技機用施錠装置１０は、開錠完了時のものを示している。
【００３９】
すなわち、図７（Ｂ）および図８（Ｂ）に示すように、開錠完了時においては、カム４３の押出し当接部４３ｄは、カム当接部３３のリブ部３３ｂに当接する位置に位置している。また、ロック装置本体３０のロック部材３１は、付勢ばね３８の付勢力に抗して（図５参照）、カム４３側の離間方向にスライド移動された状態となっている。この状態においては、上記した規制用当接部３２ｂは、ロック係止部４５ｃの下には位置していない。つまり、ロック係止部４５ｃは、ロック部材３１の規制用当接部３２ｂに当接することがなくなり、連結杆４５の下方へのスライド移動の規制もなくなった、すなわち下方へのスライド移動が許可された状態となる。これによって、連結杆４５は、下方へスライド移動することができるようになる。
【００４０】
加えて、この連結杆４５の下方へのスライド移動が許可された状態の直後に、カム４３の嵌合突出部４３ｂ，４３ｃは、連結杆４５の差込孔４５ａ，４５ｂに適宜の遊びを有しながら嵌合しているので、連結杆４５は、カム４３の回転にしたがって下方にスライド移動する（図６等参照）。これによって、上記したように連結杆４５の下方へのスライド移動は、許可された状態にあり、同時に下方にスライド移動することとなるので、上下の雄側施錠杆５１，５５を同時に下方にスライド移動させることができる。したがって、開錠鍵Ｋを用いた開錠操作は、ロック装置本体３０によるロックの解除と同時に、上雄側鉤部５２と上雌側鉤部２２との係合および下雄側鉤部５６と下雌側鉤部２３との係合も解除させることができ、瞬時に施錠状態から開錠状態とすることができる。
なお、施錠状態から開錠状態とした後に、シリンダ錠４２から開錠鍵Ｋを抜くためには、図７（Ａ）に示すような開錠操作前の位置に戻さなければならない。
【００４１】
次に、施錠時における遊技機用施錠装置１０の作動に関して説明する。
図９は、施錠時におけるロック装置本体３０等に関しての拡大作動側面図である。図１０は、施錠時における遊技機用施錠装置の全体作動側面図である。なお、図９および図１０も、ロック装置本体３０に関する作動を分かり易くするため、連結杆４５の一部を省略して図示している（ロック係止部４５ｃおよび連結個所に関しては図示している。）。
【００４２】
また、施錠前の状態は、上記したようにシリンダ錠４２から開錠鍵Ｋを抜いた状態となっており、図示するとすれば、図７（Ａ）における雌側施錠具２０と雄側施錠具４０とが切り離された状態となった図となる。つまり、押出し当接部４３ｄは、図９の（Ａ）および（Ｂ）に示すようにカム当接部３３（傾斜面部３３ａ）の上方に位置するようになっており、ロック部材３１は押出し当接部４３ｄと接することなく、雌側施錠具２０と雄側施錠具４０とを容易に係合可能な状態となっている。
【００４３】
図９（Ａ）記載のロック装置本体３０等、および図１０（Ａ）記載の遊技機用施錠装置１０は、施錠状態寸前のものを示している。
すなわち、図９（Ａ）および図１０（Ａ）に示すように、ロック装置本体３０のロック部材３１は、付勢ばね３８の付勢力によりカム４３側の接近方向にスライド移動した状態となっており、ロック部材３１の挟み込み部３２は連結杆４５を挟み込みはじめた状態となっている。この場合には、上雄側鉤部５２が上雌側鉤部２２に対して傾斜部５２ａにて下方にスライド移動するようになっており、また下雄側鉤部５６が下雌側鉤部２３に対して傾斜部５６ａにて下方にスライド移動するようになっている。この状態においては、規制用当接部３２ｂは、ロック係止部４５ｃの下に位置している。なお、上記した長穴４１ｄ，４１ｅにより、連結杆４５は固定位置のまま、上雄側施錠杆５１および下雄側施錠杆５５は、それぞれ独自にスライド移動することができる。
【００４４】
この図９（Ａ）および図１０（Ａ）に示す状態から、さらに外枠２に対して前枠３を閉じる方向に押して、完全に閉じきった状態となると、図９（Ｂ）および図１０（Ｂ）に示す状態となる。
図９（Ｂ）記載のロック装置本体３０等、および図１０（Ｂ）記載の遊技機用施錠装置１０は、施錠状態のものを示している。
すなわち、図９（Ｂ）および図１０（Ｂ）に示すように、上雄側鉤部５２と上雌側鉤部２２とは互いに係合し、下雄側鉤部５６と下雌側鉤部２３とは互いに係合した状態となり、これによって図７（Ａ）および図８（Ａ）に示すものと全く同一の開錠操作前の施錠状態となる。この施錠状態に関しては、図７（Ａ）について説明したとおりとなっている。
このようにして、遊技機用施錠装置１０の施錠は、シリンダ錠４２から開錠鍵Ｋが抜かれた状態で、外枠２に対して前枠３を完全に閉じきることによって容易に行えるようになっている。
【００４５】
この遊技機用施錠装置１０によれば、雌側施錠杆２１には、雄側鉤部５２，５６と雌側鉤部２２，２３とが係合している場合に、この係合の解除を規制するロック装置本体３０が設けられているので、外枠２に対して前枠３が閉じ位置となっている場合には、ロック装置本体３０にて雄側鉤部５２，５６と雌側鉤部２２，２３との係合の解除を規制することとなるが、外枠２に対して前枠３が開き位置となっている場合には、雄側鉤部５２，５６と雌側鉤部２２，２３とは互いに係合せず、ロック装置本体３０も係合の解除を規制するようには機能しないこととなる。
【００４６】
これによって、外枠２に対して前枠３が開き位置となっている場合において、ロック装置本体３０をロック解除位置に保持するような部材を省略することができることとなり、部材点数を削減することに繋げることができる。
したがって、遊技機用施錠装置１０によれば、部材点数を削減することにより、製造コストを削減するとともに故障のし難いものとすることができる。
【００４７】
なお、本発明に係る遊技機用施錠装置にあっては、上記した実施の形態に限定されるものではなく、本発明の要旨を変更しない範囲で適宜に選択変更することができる。
例えば、上記実施の形態においては、遊技機の一例としてスロットマシンを挙げ、遊技機用施錠装置に関して説明するものであった。しかしながら、本発明に係る遊技機は、これに限定されることなく、例えば、パチンコ機等の遊技盤面を備えて構成されるものであってもよい。
また、上記実施の形態においては、雄側鉤部５２，５６は傾斜部５２ａ，５６ａが設けられた鉤状に形成されるものであり、雌側鉤部２２，２３は突出する片状に形成されるものであったが、本発明に係る雄側鉤部および雌側鉤部は、これに限定されるものではなく、互いに係合可能な適宜な形状を選択することができる。
【図面の簡単な説明】
【００４８】
【図１】実施の形態となる遊技機用施錠装置が取り付けられたスロットマシンの筐体構造を示す斜視図である。
【図２】遊技機用施錠装置を外枠および前枠から取外した斜視図である。
【図３】雌側施錠具の分解斜視図である。
【図４】雄側施錠具の分解斜視図である。
【図５】ロック装置本体とロック係止部に関しての分解斜視図である。
【図６】ロック装置本体とロック係止部に関しての組付け斜視図である。
【図７】開錠操作時におけるロック装置本体等に関しての拡大作動側面図である。
【図８】開錠操作時における遊技機用施錠装置の全体作動側面図である。
【図９】施錠時におけるロック装置本体等に関しての拡大作動側面図である。
【図１０】施錠時における遊技機用施錠装置の全体作動側面図である。
【符号の説明】
【００４９】
１  スロットマシン（遊技機）
２  外枠
３  前枠
４  取付部材
５  フック穴
１０  遊技機用施錠装置
２０  雌側施錠具
２１  雌側施錠杆
２２  上雌側鉤部
２３  下雌側鉤部
３０  ロック装置本体（ロック装置）
３１  ロック部材
３２  挟み込み部
３２ｂ  規制用当接部
３３  カム当接部
３３ａ  傾斜面部
３３ｂ  リブ部
３５  保持部
３５ａ  スライド案内部
４０  雄側施錠具
４１  収納保持部材
４２  シリンダ錠
４２ａ  開錠軸部
４３  カム
４３ａ  取付孔
４３ｂ，４３ｃ  嵌合突出部
４３ｄ  押出し当接部
４５  連結杆
４５ａ，４５ｂ  差込孔
４５ｃ  ロック係止部
５１  上雄側施錠杆
５２  上雄側鉤部
５２ａ  傾斜部
５５  下雄側施錠杆
５６  下雄側鉤部
５６ａ  傾斜部
６０  フック装置
Ｋ  開錠鍵
【図１】
0005323389.tif 000002
【図２】
0005323389.tif 000003
【図３】
0005323389.tif 000004
【図４】
0005323389.tif 000005
【図５】
0005323389.tif 000006
【図６】
0005323389.tif 000007
【図７】
0005323389.tif 000008
【図８】
0005323389.tif 000009
【図９】
0005323389.tif 000010
【図１０】
0005323389.tif 000011